(57)【要約】【課題】  運搬等が容易であり、また、被梱包物の収納あるいは取り出しを容易に行うことができる。【解決手段】  器具本体１の上に被覆部材２を重ねた状態の被梱包物を、被覆部材２の両側のうちの一方の側から高さ方向、幅方向、長さ方向に隙間なしに挿入可能で、被覆部材２の形状に応じて被覆部材２の両側に被覆部材２と所定の空間距離を保って被梱包物が収納される構成において、梱包箱の被覆部材２が挿入される挿入方向に対向する面に、所定の空間に手指が入り込み被梱包物が見える開口窓１１を設けた。これにより梱包箱を運搬する際、開口窓１１に手指を挿入し、所定の空間を利用して確実に持つことができる。このため、梱包箱の運搬が容易になる。また、梱包箱の外から開口窓１１を通して被梱包物を視認することができる。この際、開口窓１１が所定の空間に面していることで見える範囲が広くなり、被梱包物を確認しやすい。【選択図】  図１
2006168806.tif 000002
【特許請求の範囲】
【請求項１】
器具本体の上に被覆部材を重ねた状態の被梱包物を、前記被覆部材の両側のうちの一方の側から高さ方向、幅方向、長さ方向に隙間なしに挿入可能で、前記被覆部材の形状に応じて被覆部材の両側に被覆部材と所定の空間距離を保って前記被梱包物が収納される梱包箱であって、
前記梱包箱の前記被梱包物が挿入される挿入方向に対向する面に、前記所定の空間に手指が入り込み前記被梱包物が見える開口窓を設けたことを特徴とする梱包箱。
【請求項２】
前記被覆部材は盛り上がった中央部と中央部より低い周辺部とを有するドーム形状またはかまぼこ形状をなし、前記所定の空間は前記被覆部材の周辺部に形成され、前記開口窓は前記挿入方向に対向する面の高さ方向の上側に設けられた請求項１記載の梱包箱。
【請求項３】
前記被覆部材は周囲に段状の窪みを有し、前記所定の空間は前記被覆部材の窪みの部分に形成され、前記開口窓は手指を挿入したときに前記被覆部材の窪み部分で前記被覆部材の周囲を持てる位置に設けられた請求項１記載の梱包箱。
【請求項４】
前記被覆部材は盛り上がった中央部と中央部より低い周辺部とを有するドーム形状またはかまぼこ形状をなし、前記所定の空間は前記被覆部材の周辺部に形成され、前記開口窓を形成するための切り曲げ片が前記被覆部材の浮き上がり防止方向に設けられた請求項１記載の梱包箱。
【請求項５】
前記開口窓は被梱包物を含む梱包箱の重心を通る線上に配置した請求項１，２または３記載の梱包箱。
【請求項６】
被梱包物を収納可能な外箱と、前記外箱に嵌合され被梱包物を載置するベースパッドと、前記ベースパッドに被梱包物を囲むように取付けられる支えパッドとを備え、前記支えパッドに前記開口窓を設けた請求項１，４記載の梱包箱。
【発明の詳細な説明】
【技術分野】
【０００１】
この発明は、照明器具等の電気機器の梱包箱をはじめとする、運搬・保管の際にのみ必要な梱包箱に関するものである。
【背景技術】
【０００２】
従来、段ボール等の紙材を使用した梱包箱は、略立方体または直方体の箱の６面全てを覆うのが一般的である。梱包箱中の被梱包物を見えるようにした梱包箱としては、特許文献１に示すような、シースルー包装構造が挙げられる。すなわち、図１１に示すように、この包装箱５５は、底面部５０と、この底面部５０の両側端に折り曲げ自在とされた一対の側面部５１と、この側面部に連続して折り曲げ自在とされた一対の上面部５２とを有し、底面部５０と一対の側面部５１とを折り曲げることにより形成された収納空間に照明器具本体５３と照明器具反射板５４とを収納するものである。また、収納状態では包装箱５５外から内部が見える状態で開口部が形成され、この開口部を封かんテープ５６によって覆う。これにより、包装箱に形成された開口部からほこり等が侵入することなく、単品保管・単品輸送を可能とする。
【０００３】
その他、梱包箱に関する発明としては、セードを有する照明器具の破損を防止するように箱内に折曲した折曲片や緩衝材等を用いて包装した例がある（例えば、特許文献２〜４参照）。
【特許文献１】特開２００３−１９２０３５号公報
【特許文献２】特開２００３−２００３０号公報
【特許文献３】特開２００３−２００８８号公報
【特許文献４】特開２００３−１３７３４６号公報
【発明の開示】
【発明が解決しようとする課題】
【０００４】
しかしながら、いずれも収納された被梱包物形状からできる梱包箱との隙間を活用して持ち運びや梱包箱への出し入れを改善する発想はなかった。すなわち、従来例においては開口部を有するものはあるが、テープで閉じられているか、またはテープで閉じられていなかったとしても収納された被梱包物が開口部を塞ぐ形になっているため手を入れることができなかった。そのため、梱包箱を手で持ち難く、容易に運搬等ができないという問題があった。
【０００５】
したがって、この発明の目的は、前記課題に鑑みてなされたものであり、運搬等が容易であり、また、被梱包物の収納あるいは取り出しを容易に行うことができる梱包箱を提供することである。
【課題を解決するための手段】
【０００６】
上記課題を解決するために本発明の請求項１記載の梱包箱は、器具本体の上に被覆部材を重ねた状態の被梱包物を、前記被覆部材の両側のうちの一方の側から高さ方向、幅方向、長さ方向に隙間なしに挿入可能で、前記被覆部材の形状に応じて被覆部材の両側に被覆部材と所定の空間距離を保って前記被梱包物が収納される梱包箱であって、前記梱包箱の前記被梱包物が挿入される挿入方向に対向する面に、前記所定の空間に手指が入り込み前記被梱包物が見える開口窓を設けた。
【０００７】
請求項２記載の梱包箱は、請求項１記載の梱包箱において、前記被覆部材は盛り上がった中央部と中央部より低い周辺部とを有するドーム形状またはかまぼこ形状をなし、前記所定の空間は前記被覆部材の周辺部に形成され、前記開口窓は前記挿入方向に対向する面の高さ方向の上側に設けられている。
【０００８】
請求項３記載の梱包箱は、請求項１記載の梱包箱において、前記被覆部材は周囲に段状の窪みを有し、前記所定の空間は前記被覆部材の窪みの部分に形成され、前記開口窓は手指を挿入したときに前記被覆部材の窪み部分で前記被覆部材の周囲を持てる位置に設けられている。
【０００９】
請求項４記載の梱包箱は、請求項１記載の梱包箱において、前記被覆部材は盛り上がった中央部と中央部より低い周辺部とを有するドーム形状またはかまぼこ形状をなし、前記所定の空間は前記被覆部材の周辺部に形成され、前記開口窓を形成するための切り曲げ片が前記被覆部材の浮き上がり防止方向に設けられている。
【００１０】
請求項５記載の梱包箱は、請求項１，２または３記載の梱包箱において、前記開口窓は被梱包物を含む梱包箱の重心を通る線上に配置した。
【００１１】
請求項６記載の梱包箱は、請求項１，４または５記載の梱包箱において、被梱包物を収納可能な外箱と、前記外箱に嵌合され被梱包物を載置するベースパッドと、前記ベースパッドに被梱包物を囲むように取付けられる支えパッドとを備え、前記支えパッドに前記開口窓を設けた。
【発明の効果】
【００１２】
本発明の請求項１記載の梱包箱によれば、梱包箱の被梱包物が挿入される挿入方向に対向する面に、所定の空間に手指が入り込み被梱包物が見える開口窓を設けたので、梱包箱を運搬する際、開口窓に手指を挿入し、所定の空間を利用して確実に持つことができる。このため、梱包箱の運搬が容易になる。また、梱包箱の外から開口窓を通して被梱包物を視認することができる。この際、開口窓が所定の空間に面していることで見える範囲が広くなり、被梱包物を確認しやすい。
【００１３】
請求項２では、被覆部材は盛り上がった中央部と中央部より低い周辺部とを有するドーム形状またはかまぼこ形状をなし、所定の空間は被覆部材の周辺部に形成され、開口窓は挿入方向に対向する面の高さ方向の上側に設けられているので、開口窓に手指を挿入する際に所定の空間を最大限利用できる。
【００１４】
請求項３では、被覆部材は周囲に段状の窪みを有し、所定の空間は被覆部材の窪みの部分に形成され、開口窓は手指を挿入したときに被覆部材の窪み部分で被覆部材の周囲を持てる位置に設けられているので、被覆部材と梱包箱を一体に保持することができる。このため、運搬の際に梱包箱にかかる荷重を低減できる。
【００１５】
請求項４では、被覆部材は盛り上がった中央部と中央部より低い周辺部とを有するドーム形状またはかまぼこ形状をなし、所定の空間は被覆部材の周辺部に形成され、開口窓を形成するための切り曲げ片が被覆部材の浮き上がり防止方向に設けられているので、運搬時等において梱包箱内で被覆部材の浮き上がりによる破損を防止できる。
【００１６】
請求項５では、開口窓は被梱包物を含む梱包箱の重心を通る線上に配置したので、開口窓から手指を挿入し持ち上げた場合、バランス良く持ち運べる。
【００１７】
請求項６では、被梱包物を収納可能な外箱と、外箱に挿入され被梱包物を載置するベースパッドと、ベースパッドに被梱包物を囲むように取付けられる支えパッドとを備え、支えパッドに開口窓を設けたので、被梱包物、ベースパッド、支えパッドの一体を外箱内に収納し、外箱から引き出すことで梱包および開梱作業が容易となる。
【発明を実施するための最良の形態】
【００１８】
本発明の第１の実施形態を図１〜図５に基づいて説明する。図１は本発明の第１の実施形態の梱包箱の分解斜視図、図２は収納状態の斜視図、図３は収納状態の断面図、図４は被梱包物である照明器具の例を示す概念図である。
【００１９】
梱包箱に収納される被梱包物である照明器具は、透光性を有する樹脂等で形成されたセード（被覆部材）を有する。セード２は、図４（ａ）、（ｃ）に示すようなかまぼこ形状、（ｂ）に示すようなドーム形状をなし、盛り上がった中央部２ａと中央部２ａより低い周辺部２ｂとを有する。この場合、図４（ａ）のセード２は異なる円弧状の曲面で構成された非対称のかまぼこ形状であり、本実施形態ではこのセードを用いた照明器具を例として梱包する梱包箱について示す。
【００２０】
図１に示すように、梱包箱は、照明器具本体１の上にセード２を重ねた状態の照明器具を収納可能な段ボール等で形成され、少なくとも一つの面が開口した外箱３、開口した面を封止する蓋４および包装材料としてベースパッド５を備えている。照明器具本体１とセード２は一体でベースパッド５とともにセード２の両側のうちの一方の側から外箱３内に高さ方向、幅方向、長さ方向に隙間なしに挿入することができる。また、セード２の形状に応じてセード２の両側にセード２と所定の空間１０距離を保って照明器具が収納され（図３）、梱包箱の照明器具が挿入される挿入方向に対向する面に、所定の空間１０に手指が入り込み照明器具が見える開口窓１１を設けている。
【００２１】
この場合、外箱３はセード２が丁度入る大きさで梱包箱の挿入方向の両端が開口した直方体である。蓋４は外箱３の開口に嵌合するように端縁部１３が折曲形成されている。ベースパッド５は照明器具本体１を収納可能なように形成されている。照明器具の収納状態では、所定の空間１０はセード２の周辺部２ｂに形成され、開口窓１１は挿入方向に対向する面の高さ方向のセード２の上側に設けられている。この場合、挿入方向に対向する面に蓋４が配置され、蓋４の上端に折曲形成された端縁部１３に隣接して開口窓１１が設けてある。開口窓１１は手指を挿入できるだけの十分な大きさであり、幅方向の両端に折曲げ片１２が切り起こしてある。照明器具はセード２の軸方向が梱包箱の挿入方向に直交するように収納することでセード２の周辺部が開口窓１１側に配置される。また、図２に示すように、蓋４で外箱３を閉止した際には、開口窓１１から内部の照明器具を視認できる。この際、開口窓１１が所定の空間１０に面していることで見える範囲が広くなり、照明器具を確認しやすい。
【００２２】
また、図３に示すように、照明器具が上記のように外箱３と蓋４の間に隙間なく収納されても手１５が梱包箱内に入るだけの十分な空間１０があり、持ち運びが容易となる。また、開口窓１１を蓋４の中央上部に配置することで、照明器具を含む梱包箱の重心を通る線Ａ上を持つことになり、開口窓１１から手指を挿入し持ち上げた場合に、バランス良く持ち運べる（図２）。
【００２３】
図５は図４（ｃ）のかまぼこ形状のセードを用いた照明器具を例として梱包する梱包箱を示し、上記と同様に構成される。
【００２４】
本実施形態によれば、梱包箱を運搬する際、開口窓１１に手指を挿入し、所定の空間１０を利用して確実に持つことができるため、梱包箱の運搬が容易になる。また、梱包箱の外から開口窓１１を通して照明器具を視認することができる。この場合、開口窓１１が蓋４の上部にあることで、所定の空間１０を最大限利用できる。また、開口窓１１は梱包、開梱時にも利用できる。
【００２５】
また、開口窓１１は少なくともその窓の一辺を、折曲げ片１２、上部の端縁部１３のように折り曲げることで、梱包箱の空間１０に手指を挿入し、持ち上げた際の箱の強度を高めることができる。この場合、開口窓１１の上部の端縁部１３に外箱２１の開口部が重なって配置されるため、さらに強度が高くなる。また、梱包箱の内部に入れる包装材料が少なくすむため、包装材料が削減し省コストとなる。
【００２６】
本発明の第２の実施形態を図６および図７に基づいて説明する。図６（ａ）は本発明の第２の実施形態の梱包箱の分解斜視図、（ｂ）は梱包される照明器具の概念図、図７は収納状態の断面図である。
【００２７】
図６（ｂ）に示すように、梱包される照明器具のセード１７は周囲に段状の窪み１７ａを有する。梱包箱は、第１の実施形態と同様に、少なくとも一つの面が開口した外箱３、開口した面を封止する蓋４および照明器具を収納する包装材料としてベースパッド５を備えている。外箱３はセード１７が丁度入る大きさで梱包箱の挿入方向の両端が開口した直方体である。蓋４は外箱３の開口に嵌合するように端縁部１３が折曲形成されている。ベースパッド５は照明器具本体を収納可能なように形成されている。照明器具の収納状態では、図７に示すように、所定の空間１０はセード１７の窪み１７ａの部分に形成され、開口窓１１は手１５を挿入したときにセード１７の窪み１７ａの部分でセード１７の周囲を持てる位置に設けられている。
【００２８】
この場合、挿入方向に対向する面に蓋４が配置され、蓋４の中間部に開口窓１１が設けてある。開口窓１１は手指が挿入できるだけの十分な大きさであり、幅方向の両端に折曲げ片１２が切り起こしてある。照明器具は開口窓１１の上側にセード１７が位置するように収納されることで、セード１７の窪み１７ａの部分に開口窓１１から手指が入り、セード１７が梱包箱と一体で保持される。
【００２９】
本実施形態では、セード１７と梱包箱を一体に保持することができるため、運搬の際に梱包箱にかかる荷重を低減できる。その他の構成効果は、第１の実施の形態と同様である。
【００３０】
本発明の第３の実施形態を図８に基づいて説明する。図８（ａ）は本発明の第３の実施形態の梱包箱の分解斜視図、（ｂ）は梱包状態の斜視図である。
【００３１】
梱包される照明器具のセードは、図４と同様にかまぼこ形状またはドーム形状をなし、盛り上がった中央部２０ａと中央部２０ａより低い周辺部２０ｂとを有する（図８）。本実施形態ではドーム形状のセードを用いた照明器具を例として梱包する梱包箱について示す。
【００３２】
図８に示すように、梱包箱は、照明器具本体の上にセード２０を重ねた状態の照明器具を収納可能な段ボール等で形成され、少なくとも一つの面が開口した外箱２１、包装材料としてベースパッド２２および支えパッド２３を備えている。照明器具本体とセード２０は一体でベースパッド２２および支えパッド２３とともにセード２０の両側のうちの一方の側から外箱２１内に高さ方向、幅方向、長さ方向に隙間なしに挿入することができる。また、セード２０の形状に応じてセード２０の両側にセード２０と所定の空間距離を保って照明器具が収納され、梱包箱の照明器具が挿入される挿入方向に対向する面に、所定の空間に手指が入り込み照明器具が見える開口窓２５を設けている。
【００３３】
この場合、外箱２１はベースパッド２２が嵌合した状態で入る大きさで梱包箱の挿入方向の両端が開口した直方体である。ベースパッド２２は照明器具本体とともにセード２０を載置可能なように形成され、支えパッド２３の差し込み穴２２ａを有する。また、４角部に切欠き２２ｂが設けられ、そこにコーナパッド２６が配置される。コーナパッド２６は、外箱２１の開口に圧入されて、ベースパッド２２を外箱２１に固定できるように形成されている。支えパッド２３はセード２０を囲むにように形成され、差し込み穴２２ａに差し込まれる差し込み片２３ａを有する。照明器具の収納状態では、所定の空間はセード２０の周辺部２０ｂに形成され、開口窓２５は挿入方向に対向する面の高さ方向の中央より下側に設けられ、かつ開口窓２５を形成するための切り曲げ片２７がセード２０の浮き上がり防止方向に設けられている。この場合、挿入方向に対向する面に支えパッド２３が配置され、支えパッド２３の下端に開口窓２５が設けてある。開口窓２５は差し込み片２３ａの両側において支えパッド２３の下端を上方へ切り起こすことで形成され、切り起こした部分が切り曲げ片２７となる。梱包時には、ベースパッド２２上に照明器具を載置し支えパッド２３およびコーナパッド２６を取り付け、ベースパッド２２を外箱２１内に挿入する。なお、コーナパッド２６は挿入後に取り付けてもよい。
【００３４】
本実施形態によれば、第１の実施形態と同様に梱包箱の運搬が容易になり、照明器具を視認することができる。また、切り曲げ片２７で、セード２０が梱包箱内で照明器具本体から浮き上がるのを防止でき、運搬輸送時に、セード２０が破損することを防止できる。また、照明器具、ベースパッド２２、支えパッド２３の一体を外箱２１内に収納し、外箱から引き出すことで梱包および開梱作業が容易となる。なお、開口窓は、支えパッドの下側に穴状に設けて、その開口窓を形成するための切り曲げ片をセードの浮き上がり防止方向に設けてもよい。
【００３５】
本発明の第４の実施形態を図９および図１０に基づいて説明する。図９（ａ）は本発明の第４の実施形態の梱包箱の分解斜視図、（ｂ）は梱包状態の斜視図である。
【００３６】
第３の実施形態と同様に梱包される照明器具のセードは、かまぼこ形状またはドーム形状をなし、本実施形態ではドーム形状のセードを用いた照明器具を例として梱包する梱包箱について示す。
【００３７】
図９に示すように、梱包箱は、照明器具本体の上にセード２０を重ねた状態の照明器具を収納可能な段ボール等で形成され、少なくとも一つの面が開口した外箱２１、包装材料としてベースパッド２２および支えパッド３０を備えている。外箱２１はベースパッド２２が嵌合した状態で入る大きさで梱包箱の挿入方向の両端が開口した直方体である。ベースパッド２２は照明器具本体とともにセード２０を載置可能なように形成され、支えパッド３０の差し込み穴２２ａを有する。また、４角部に切欠きが設けられ、そこにコーナパッド２６が配置される。コーナパッド２６は、外箱２１の開口に圧入されて、ベースパッド２２を外箱２１に固定できるように形成されている。支えパッド３０はセード２０を囲むにように形成され、差し込み穴２２ａに差し込まれる差し込み片３０ａを有する。照明器具の収納状態では、所定の空間がセード２０の周辺部２０ｂに形成され、梱包箱の挿入方向に対向する面に、所定の空間に手指が入り込み照明器具が見える開口窓３２を設けている。この場合、支えパッド３０の挿入方向に対向する面に位置する差し込み片３０ａの両側において、支えパッド３０の下端を切り起こしてセード２０の浮き上がりを防止する切り曲げ片３１と、切り曲げ片３１の間で高さ方向の略中央に形成された手指を挿入可能な開口窓３２とを有する。梱包時には、ベースパッド２２上に照明器具を載置し支えパッド３０およびコーナパッド２６を取り付け、ベースパッド２２を外箱２１内に挿入する。なお、コーナパッド２６は挿入後に取り付けてもよい。
【００３８】
本実施形態では、支えパッド３０は、ベースパッド２２に差込み一体化され、セードの浮き上がり防止と、開口窓３２を使って、照明器具、ベースパッド２２、支えパッド３０の一体を外箱２１内に収納したり、開梱時に引き出したりが容易にできる。この場合、開口窓３２の形状は、図９に示す長円形に限らず、図１に示すような開口窓の高さ方向に沿った２辺に折曲げ片を設けると強度が向上するのでさらによい。また、図１０に示すように、開口窓３２の幅方向に沿った辺に折曲げ片３３を設ければ、収納、引き出し作業時に切り曲げ面で操作できるのでさらによい。その他の構成効果は、第３の実施の形態と同様である。
【００３９】
なお、被梱包物として照明器具以外に器具本体の上に被覆部材を重ねた状態の電気機器等であっても同様に梱包できる。
【図面の簡単な説明】
【００４０】
【図１】本発明の第１の実施形態の梱包箱の分解斜視図である。
【図２】第１の実施形態の収納状態の斜視図である。
【図３】第１の実施形態の収納状態の断面図である。
【図４】被梱包物である照明器具の例を示す概念図である。
【図５】第１の実施形態において他のセードを用いた場合の梱包箱の分解斜視図である。
【図６】（ａ）は本発明の第２の実施形態の梱包箱の分解斜視図、（ｂ）は梱包される照明器具の概念図である。
【図７】第２の実施形態の収納状態の断面図である。
【図８】（ａ）は本発明の第３の実施形態の梱包箱の分解斜視図、（ｂ）は梱包状態の斜視図である。
【図９】（ａ）は本発明の第４の実施形態の梱包箱の分解斜視図、（ｂ）は梱包状態の斜視図である。
【図１０】第４の実施形態の変形例の要部斜視図である。
【図１１】従来例の分解斜視図である。
【符号の説明】
【００４１】
１  照明器具本体
２，１７，２０  セード
２ａ，２０ａ  中央部
２ｂ，２０ｂ  周辺部
３，２１  外箱
４  蓋
５，２２  ベースパッド
１０  空間
１１，２５，３２  開口窓
１７ａ  窪み
２３，３０  支えパッド
２７  切り曲げ片
【図１】
2006168806.tif 000003
【図２】
2006168806.tif 000004
【図３】
2006168806.tif 000005
【図４】
2006168806.tif 000006
【図５】
2006168806.tif 000007
【図６】
2006168806.tif 000008
【図７】
2006168806.tif 000009
【図８】
2006168806.tif 000010
【図９】
2006168806.tif 000011
【図１０】
2006168806.tif 000012
【図１１】
2006168806.tif 000013